【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
クレーンの止め具アセンブリであって、
第１クレーン部材に連結するように構成された、第１端にある第１コネクター、及び第２クレーン部材と接触するように構成された、第２端にある接続部分、を有する、細長い本体と、
前記細長い本体上に配置された重力作動式メカニズムであって、前記接続部分を無効にする第１の形態と、前記接続部分を無効にしない第２の形態とを有し、前記細長い本体が水平面に対する第１の方向から前記水平面に対する第２の方向へと動いたときに、前記第１の形態から前記第２の形態へと自動的に変化可能とされた重力作動式メカニズムと、
を備え、
前記重力作動式メカニズムが、重り部分と、前記重り部分に連結されたロックアームと、前記細長い本体に枢動可能に連結されたラッチとを備え、前記ラッチが、ラッチ作動位置とラッチ解除位置との間を枢動可能であり、前記重力作動式メカニズムが前記第１の形態にあり且つ前記ラッチが前記ラッチ作動位置にあるときに、前記ロックアームが前記ラッチに係合するようにされた、止め具アセンブリ。
【請求項２】
前記ラッチを前記ラッチ作動位置に向かって付勢する付勢部材をさらに備える、請求項１に記載の止め具アセンブリ。
【請求項３】
前記接続部分が、前記第２クレーン部材の一部を受け入れる大きさと形状を有するポケットを備える、請求項１又は２に記載の止め具アセンブリ。
【請求項４】
前記細長い本体が長手方向軸を画定し、前記長手方向軸が実質的に前記水平面上にあるときに、前記細長い本体が第１の位置となり、前記重力作動式メカニズムが前記第１の形態となる、請求項１乃至３のいずれか一項に記載の止め具アセンブリ。
【請求項５】
前記接続部分が、前記第１の形態では前記第２クレーン部材と接触せず、前記第２の形態では前記第２クレーン部材と接触する、請求項１乃至４のいずれか一項に記載の止め具アセンブリ。
【請求項６】
前記ポケットが前記第２クレーン部材の止め具の突起を受け入れる大きさと形状をしている、請求項３に記載の止め具アセンブリ。
【請求項７】
前記重力作動式メカニズムが前記第１の形態にあるときに、当該止め具アセンブリが前記第２クレーン部材に向かって動くことによって、当該止め具アセンブリの位置がずれるようにされた、請求項１乃至６のいずれか一項に記載の止め具アセンブリ。
【請求項８】
クレーンの支持コラムアセンブリであって、
第１端を有する第１支持コラムと、
前記第１支持コラムの前記第１端に枢動可能に接続された第２端を有する第２支持コラムと、
前記第１支持コラムに連結され、前記第２支持コラムと接触するように構成された接続部分を有する重力作動式止め具部材であって、前記接続部分が作動しない第１の形態、及び前記接続部分が作動する第２の形態を有し、前記第１支持コラムが水平面に対する第１の位置から前記水平面に対する第２の位置へと動かされたときに、前記第１の形態から前記第２の形態へと自動的に変化可能とされた重力作動式止め具部材と、
を備え、
前記重力作動式止め具部材が、重り部分と、前記重り部分に連結されたロックアームと、前記第１支持コラムに枢動可能に連結されたラッチと、を有する重力作動式メカニズムを備えており、前記ラッチは、前記接続部分を遮るラッチ作動位置と、ラッチ解除位置との間を枢動可能とされ、前記重力作動式止め具部材が前記第１の形態にあり且つ前記ラッチが前記ラッチ作動位置にあるときに、前記ロックアームが前記ラッチに係合するようにされた、支持コラムアセンブリ。
【請求項９】
前記重力作動式止め具部材が、前記ラッチを前記ラッチ作動位置に向かって付勢する付勢部材をさらに備える、請求項８に記載の支持コラムアセンブリ。
【請求項１０】
前記第２支持コラムが突起をさらに備え、前記接続部分が前記突起を受け入れる大きさと形状を有するポケットを備える、請求項８又は９に記載の支持コラムアセンブリ。
【請求項１１】
前記重力作動式止め具部材が長手方向軸を画定し、前記長手方向軸が実質的に前記水平面上にあるときに、前記重力作動式止め具部材は前記第１の位置にあり且つ前記第１の形態となる、請求項８乃至１０のいずれか一項に記載の支持コラムアセンブリ。
【請求項１２】
前記接続部分が前記第１の形態では前記第２支持コラムと接触せず、前記第２の形態では前記第２支持コラムと接触する、請求項８乃至１１のいずれか一項に記載の支持コラムアセンブリ。
【請求項１３】
前記重力作動式止め具部材が前記第１の形態にあるときに、前記重力作動式止め具部材が前記第２支持コラムに向かって動くことによって、前記重力作動式止め具部材の位置がずらされるようにされた、請求項８乃至１２のいずれか一項に記載の支持コラムアセンブリ。
【請求項１４】
クレーンの止め具アセンブリであって、
第１クレーン部材に連結するためのピンを受け入れる大きさと形状を有する穴を第１端に有し、第２クレーン部材の突起を受け入れる大きさと形状を有するポケットを第２端に有する細長い本体と、
前記細長い本体の前記第２端に配置されたラッチであって、前記ラッチを前記細長い本体に連結する第１枢動接続部を有し、前記ポケットを遮る第１ラッチ位置から前記ポケットを遮らない第２ラッチ位置へと枢動可能とされた、ラッチと、
前記第１枢動接続部から間隔をあけた第２枢動接続部を有し、前記第２枢動接続部により前記細長い本体に枢動可能に連結されたロックアセンブリであって、前記第２枢動接続部からずれた位置に重心を有しており、前記第2枢動接続部から半径方向に離れる方向に延びるロックアームを有し、前記ロックアームは、前記第１ラッチ位置にある前記ラッチに係合する第１ロック位置から、前記第１ラッチ位置にある前記ラッチに係合しない第２ロック位置へと回転する、ロックアセンブリと、
前記ラッチと前記細長い本体とに連結され、前記ラッチを前記第１ラッチ位置に付勢する付勢部材と、を備える止め具アセンブリ。
【請求項１５】
前記ロックアセンブリが、前記ロックアームに連結する重り部分を備えている、請求項１４に記載の止め具アセンブリ。
【請求項１６】
前記細長い本体が水平方向にあるときに、前記重心が前記ロックアームを前記第１ロック位置に向かって付勢する、請求項１４又は１５に記載の止め具アセンブリ。
【請求項１７】
前記細長い本体が水平でない方向にあるときに、前記重心が前記ロックアームを前記第２ロック位置に向かって付勢する、請求項１４乃至１６のいずれか一項に記載の止め具アセンブリ。
【請求項１８】
前記第１ラッチ位置にある前記ラッチが、前記止め具アセンブリの第１接続部分を前記第２クレーン部材を通り過ぎるように案内するようにされた第２接続部分を形成する、請求項１４乃至１７のいずれか一項に記載の止め具アセンブリ。
【手続補正２】
【補正対象書類名】明細書
【補正対象項目名】００４０
【補正方法】変更
【補正の内容】
【００４０】
図４では、重力作動式メカニズム３１２は、接続部分３０８が無効となっていない第２の形態で示されている。図４では、本体３０２は、その細長い軸が水平面３０４に対して角度αとなるように回転されている。重り部分３１８とロックアーム３１６は、水平面３０４に対してはその位置を維持するが、本体３０２に対しては移動し、ロックアーム３１６がラッチ３１４から離れる方向に回転してラッチ３１４と係合していないようになる。本体３０２が水平方向に戻ったときにロックアーム３１６がラッチ３１４に再び係合するように、ラッチ３１４は図４に示す位置に戻るように付勢されている。他に力がなければ、ラッチ３１４は、図４に示す位置にとどまる。ラッチ３１４は、バネなどの付勢部材により付勢されてもよい。
【手続補正３】
【補正対象書類名】図面
【補正対象項目名】全図
【補正方法】変更
【補正の内容】
【図１】
2016117587.tif 000001
【図２】
2016117587.tif 000002
【図３】
2016117587.tif 000003
【図４】
2016117587.tif 000004
【図５】
2016117587.tif 000005